(57)【要約】【課題】  放射能汚染物から放射能成分を高効率、低コストで容易に吸着・除去する除染技術を提供する。【解決手段】  緑泥岩粉粒体を放射性セシウム、放射性ストロンチウム等を含有する放射性廃棄物（あるいは放射能汚染物）に接触せしめて、放射性成分を吸着・除去する。  破砕した緑泥岩粉粒体の平均粒径が５０〜１，０００μｍが好ましい。  処理対象物は、固液混合スラリー又は溶液であってもよい。  処理対象物としては、原子力施設、医療施設等から排出される放射能汚染物、農作物、魚介類、農耕地土壌、道路表土、運動場表土、建造物等の放射能汚染物あるいは湖水、池水、河川水、海水等の放射能汚染水が挙げらる。【選択図】なし【特許請求の範囲】
【請求項１】
緑泥岩粉粒体を放射能汚染物に接触せしめて、放射性成分を吸着・除去することを特徴とする放射能汚染物の除染方法。
【請求項２】
緑泥岩粉粒体の平均粒径が５０〜５，０００μｍであることを特徴とする請求項１に記載の放射能汚染物の除染方法。
【請求項３】
緑泥岩粉粒体が、緑泥岩を３００〜５００℃で仮焼してなる仮焼緑泥岩粉粒体であることを特徴とする請求項１又は２に記載の放射能汚染物の除染方法。
【請求項４】
処理対象物の放射能汚染物が、溶液又は固液混合スラリーであることを特徴とする請求項１〜３のいずれか１項に記載の放射能汚染物の除染方法。
【請求項５】
処理対象物の放射能汚染物が、穀物、野菜、果実等の農作物、魚介類、農耕地土壌、道路表土、運動場表土、建造物等の放射能汚染物あるいは湖水、池水、河川水、海水等の放射能汚染水であることを特徴とする請求項１〜４のいずれか１項に記載の放射能汚染物の除染方法。
【請求項６】
緑泥岩粉粒体が、緑泥片岩又は緑泥頁岩の粉粒体であることを特徴とする請求項１〜５のいずれか１項に記載の放射能汚染物の除染方法。
【発明の詳細な説明】
【技術分野】
【０００１】
本願発明は、原子力発電所や使用済み核燃料の処理施設等から排出される放射性廃棄物、あるいは原子力発電所の爆発事故に伴って排出される放射性成分によって汚染された農作物、魚介類、土壌、河川水、池水等の放射能汚染物から放射性成分を吸着・除去するための放射能汚染物の除染方法に関するものである。
【背景技術】
【０００２】
昨今、原子力発電所の爆発事故に伴い、放射性発生成分が数１０ｋｍあるいは１００ｋｍ以上に及ぶ周辺に飛散し、土壌、家屋等を放射性成分で汚染しており、生物生存上の大問題となっている。
そこで、その有効な除染技術の早期提供が要望されているが、半減期が非常に長い放射性セシウム（137Ｃｓ）や放射性ストロンチウム（90Ｓｒ）の放射性成分のみを濃縮してあるいは吸着・除去して別所に移動・保管することが試行されている。
【発明の概要】
【発明が解決しようとする課題】
【０００３】
しかし、従来の技術では上記半減期の長いセシウムやストロンチウム等の放射性成分を低コストで吸着・除去する方法が提供されていない。
したがって、本願発明は半減期の長い放射性成分を低コストで吸着・除去する除染技術を提供する。
【課題を解決するための手段】
【０００４】
すなわち、本願発明は下記構成の放射能汚染物の処理方法である。
[１]  緑泥岩粉粒体を放射能汚染物に接触せしめて、放射性成分を吸着・除去することを特徴とする放射能汚染物の除染方法。
[２]  緑泥岩粉粒体の平均粒径が５０〜５，０００μｍであることを特徴とする[１]に記載の放射能汚染物の除染方法。なお、実験の結果では、特に平均粒径３０〜５０μｍのものが好適であった。
[３]  緑泥岩粉粒体が、緑泥岩を３００〜５００℃で仮焼してなる仮焼緑泥岩粉粒体であることを特徴とする[１]又は[２]に記載の放射能汚染物の除染方法。
[４]  処理対象物の放射能汚染物が、溶液又は固液混合スラリーであることを特徴とする[１]〜[３]のいずれか１項に記載の放射能汚染物の除染方法。
[５]  処理対象物の放射能汚染物が、穀物、野菜、果実等の農作物、魚介類、農耕地土壌、道路表土、運動場表土、建造物等の放射能汚染物あるいは湖水、池水、河川水、海水等の放射能汚染水であることを特徴とする[１]〜[４]のいずれか１項に記載の放射能汚染物の除染方法。
[６]  緑泥岩粉粒体が、緑泥片岩又は緑泥頁岩の粉粒体であることを特徴とする[１]〜[５]のいずれか１項に記載の放射能汚染物の除染方法。
【発明の効果】
【０００５】
本願発明によれば、放射能汚染物から放射性成分を高効率で、容易な手段でかつ低コストで吸着・除去することができる。
本願発明者の実験によれば、放射性セシウムで汚染された土壌を水洗して得られた放射能汚染水に本願発明の緑泥岩粉粒体を混合し、吸着・除去したところ、８０％以上の放射能除染ができた。
【発明を実施するための形態】
【０００６】
本願発明の実施の形態について説明する。
まず、本発明に用いる緑泥岩は、例えば比重が３．０３であり、多数の微細孔を有するものである。
そして緑泥岩は、片岩あるいは頁岩であるものでもよい。
また、緑泥岩は変成岩であって、雲母系鉱物（黒雲母）が変成作用を受けて粘土化した緑泥岩（クロライト）を主要構成鉱物としており、例えば成分組成がＳｉＯ2：６４．５％、Ａｌ2Ｏ3：１８．４％、Ｆｅ2Ｏ3：４．７％、ＣａＯ：２．９％、Ｋ2Ｏ；０．３％、ＭｇＯ；１．０％、ＭｎＯ2；０．１％、Ｉｇ．Ｌｏｓｓ：７．０％である。
本願発明においては、特に緑泥岩の頁岩が好ましいものである。
【０００７】
緑泥岩を破砕して粉粒体とするには、例えば、衝撃型粉砕機や摩砕型粉末機等を用いてもよく、そして複数の粉砕機を用いて段階的に粒度を細かくしてもよい。
放射性セシウム、放射性ストロンチウム等を含有する放射性廃棄物あるいは汚染物（例えば汚染土壌）に接触させるには、例えば緑泥岩粉粒体（例えば平均粒径が５０〜５，０００μｍ）を、水を混ぜた放射能汚染物（スラリー）に添加混合処理して放射能成分を吸着させた後、処理後の緑泥岩粉粒体を保管容器に収納して別所に移送・保管する。
あるいは、予め水に放射能汚染物を攪拌混合し、抽出された放射性成分を含む水溶液に対して、緑泥岩粉粒体を添加混合して水溶液中の放射性成分を吸着させ、沈降させて除染することもできる。
【０００８】
また、粗砕した緑泥岩を３００〜５００℃で仮焼し、更に微粉砕してなる仮焼緑泥岩粉粒体を用いて、放射能汚染物に接触させて吸着・除去することもできる。
この仮焼緑泥岩粉粒体は、加熱処理によって同緑泥岩粉粒体中の細孔中の水分、揮発性物質等が完全に放出されて細孔がすべて開口するため、放射能成分を高効率で有効に吸着・除去することができる。
【実施例】
【０００９】
３００メッシュ篩通過の緑泥岩粉粒体を使用して、セシウム（Ｃｓ）及びカドミウム（Ｃｄ）の吸着試験を行った。
まず、Ｃｓ１０ｐｐｍ含有水溶液１０００ｍｌと、Ｃｄ１０ｐｐｍ含有水溶液１０００ｍｌを用意し、各々の水溶液に上記緑泥岩粉粒体１００ｇずつを添加し各々６時間混合した。
そして３０分間静置後に孔径０．４５μｍのメンブランフィルターを用いて濾過し、得られた溶液についてＣｓ及びＣｄの濃度を測定してＣｓ及びＣｄの除去率を求めた。
また、比較例として、活性炭粉粒体を使用して同様にしてセシウム（Ｃｓ）及びカドミウム（Ｃｄ）の吸着試験を行った。
その結果、（１）Ｃｓ除去率は、上記緑泥岩粉粒体では９６％、活性炭粉粒体では４８％、（２）Ｃｄ除去率は、上記緑泥岩粉粒体では９９％、活性炭粉粒体では９９％であった。
以上の結果からみて、本願に係る緑泥岩粉粒体は特にセシウム（Ｃｓ）の吸着性能に優れていることが理解される。